(57)【要約】【課題】装着された記録媒体に記録されている番組と同じ番組の未記録映像データを、ＨＤＤ等の記憶手段から特定し、特定された映像データを自動的に記録媒体に記録することが可能な映像記録装置を提供する。【解決手段】周期的に放送される一連の番組の映像データ、番組名情報及び放送日時情報を記憶するＨＤＤ１２ａと、ＨＤＤ１２ａが記憶する映像データ、番組名情報及び放送日時情報を、装着された光ディスク１２ｃに記録する記録手段とを備える映像記録装置に、光ディスク１２ｃ及びＨＤＤ１２ａに記録された番組名情報及び放送日時情報を読み出して比較する手段と、比較結果に基づいて、光ディスク１２ｃに記録されている映像データと番組名の一部又は全部が重複しており、光ディスク１２ｃに記録されている映像データの放送日時よりも後にＨＤＤ１２ａが記憶した映像データを特定し、光ディスク１２ｃに記録する手段とを備える。【選択図】図１
2013242933.tif 000002
【特許請求の範囲】
【請求項１】
周期的に放送される一連の番組の映像データ、該映像データの番組名を含む番組名情報、及び該映像データの放送日時を含む放送日時情報を記憶する記憶手段と、該記憶手段が記憶する映像データ、番組名情報及び放送日時情報を、装着された記録媒体に記録する記録手段とを備える映像記録装置において、
記録媒体に記録された番組名情報及び放送日時情報を読み出す読出手段と、
該読出手段にて読み出された番組名情報及び前記記憶手段が記憶する番組名情報を比較する手段と、
前記読出手段にて読み出された放送日時情報及び前記記憶手段が記憶する放送日時情報を比較する手段と、
各番組名情報及び放送日時情報の比較結果に基づいて、記録媒体に記録されている映像データと番組名の一部又は全部が重複しており、該記録媒体に記録されている映像データの放送日時よりも後に前記記憶手段が記憶した映像データを特定する特定手段と
を備え、
前記記録手段は、
前記特定手段にて特定された映像データを記録媒体に記録する手段を備える
ことを特徴とする映像記録装置。
【請求項２】
前記特定手段は、
記録媒体に記録されている放送日時情報が示す放送開始時刻と、前記記憶手段が記憶する放送日時情報が示す放送開始時刻との時間差が所定範囲内にある映像データを特定するようにしてある
ことを特徴とする請求項１に記載の映像記録装置。
【請求項３】
前記記憶手段が記憶する番組名情報に含まれる番組名と、記録媒体に記録された番組名情報に含まれる番組名との類似度を算出する算出手段と、
該算出手段が算出した類似度及び所定閾値を比較する手段と
を備え、
前記特定手段は、
記録媒体に記録されている映像データの番組名との類似度が所定閾値以上であって、該記録媒体に記録されている映像データの放送日時よりも後に前記記憶手段が記憶した映像データを特定するようにしてある
ことを特徴とする請求項１又は請求項２に記載の映像記録装置。
【請求項４】
異なる複数の番組名の番組名情報が記録媒体に記録されている場合、前記録媒体に記録すべき映像データの番組名を受け付ける番組名受付手段を備え、
前記特定手段は、
前記番組名受付手段が受け付けた番組名と、番組名の一部又は全部が重複しており、該記録媒体に記録されている映像データの放送日時よりも後に前記記憶手段が記憶した映像データを特定するようにしてある
ことを特徴とする請求項１から請求項３までのいずれか一つに記載の映像記録装置。
【発明の詳細な説明】
【技術分野】
【０００１】
本発明は、周期的に放送される一連の番組の映像データを記憶手段に蓄積しておき、記憶手段に蓄積された映像データを適宜、装着された記録媒体に記録する映像記録装置に関する。
【背景技術】
【０００２】
全放送局の一週間分の番組をＨＤＤ（Hard Disc Drive）、ＳＳＤ（Solid State Drive）等に自動録画することが可能な映像記録装置が実用化されている。ＨＤＤ、ＳＳＤ等の記憶手段に録画された番組の中より連続ドラマといったシリーズ物の番組を光ディスク、外付ＨＤＤ、ＵＳＢメモリ等の記録媒体に保存したい場合には、ユーザは、ＨＤＤに保存された番組をモニターに表示させて、ダビングしたい所望の番組を選択し、ＨＤＤから光ディスクドライブへのダビングを指示する必要がある。
【０００３】
また、光ディスクにデータを記録する光ディスクドライブと、ＨＤＤから指定等の記憶部を備え、データの記録対象として一つの光ディスクを指定しておくことができる録画装置が提案されている（例えば、特許文献１）。コンテンツの放送時に指定された光ディスクが装着されていない場合は、録画装置は、一旦記憶部にコンテンツデータを記憶し、後で記録対象の光ディスクが装着された場合にコンテンツデータを光ディスクに記録する。
【先行技術文献】
【特許文献】
【０００４】
【特許文献１】特開２０１１−４８８８２号公報
【発明の概要】
【発明が解決しようとする課題】
【０００５】
放送番組を大量に録画できる従来の映像記録装置においては、特定の連続ドラマといったシリーズ物の番組をディスクにダビングする際、ＨＤＤに録画された大量の番組の中からユーザが保存したい番組を探し出して選択する手間を要するという問題があった。また、連続ドラマが順次ＨＤＤに録画された際には、上述と同様のダビング操作を都度行う必要があり面倒であった。
また、特許文献１に係る録画装置においては、光ディスクを指定し、録画予約情報と、光ディスクとを予め関連付けておく必要があり、手間を要するという問題があった。
【０００６】
本発明は斯かる事情に鑑みてなされたものであり、その目的は、装着された記録媒体に記録されている番組と同じ番組の未記録映像データを、ＨＤＤ等の記憶手段から特定し、特定された映像データを自動的に記録媒体に記録することが可能な映像記録装置を提供することにある。
【課題を解決するための手段】
【０００７】
本発明に係る映像記録装置は、周期的に放送される一連の番組の映像データ、該映像データの番組名を含む番組名情報、及び該映像データの放送日時を含む放送日時情報を記憶する記憶手段と、該記憶手段が記憶する映像データ、番組名情報及び放送日時情報を、装着された記録媒体に記録する記録手段とを備える映像記録装置において、記録媒体に記録された番組名情報及び放送日時情報を読み出す読出手段と、該読出手段にて読み出された番組名情報及び前記記憶手段が記憶する番組名情報を比較する手段と、前記読出手段にて読み出された放送日時情報及び前記記憶手段が記憶する放送日時情報を比較する手段と、各番組名情報及び放送日時情報の比較結果に基づいて、記録媒体に記録されている映像データと番組名の一部又は全部が重複しており、該記録媒体に記録されている映像データの放送日時よりも後に前記記憶手段が記憶した映像データを特定する特定手段とを備え、前記記録手段は、前記特定手段にて特定された映像データを記録媒体に記録する手段を備えることを特徴とする。
【０００８】
本発明にあっては、周期的に放送される一連の番組の映像データと、該映像データの番組名情報と、放送日時情報とを記憶手段が記憶する。記録手段は、記憶手段が記憶している映像データ、番組名情報及び放送日時情報を、装着された記録媒体に記録する。
読出手段は、記録手段から番組名情報及び放送日時情報を読み出す。そして、読み出された番組名情報と、記憶手段が記憶する番組名情報とを比較する。また、読み出された放送日時情報と、記憶手段が記憶する放送日時情報とを比較する。
次いで、特定手段は、番組名情報及び放送日時情報の比較結果に基づいて、前記記録媒体に記録されている映像データと番組名の一部又は全部が重複しており、該記録媒体に記録されている映像データの放送日時よりも後に前記記憶手段が記憶した映像データを特定し、特定された映像データを記録媒体に記録する。
従って、装着された記録媒体に、一の映像データ、番組名情報及び放送日時情報を一度記録すれば、それ以降、上述の処理によって、一連の番組の映像データが、記録媒体に選択的にかつ自動的に記録される。
【０００９】
本発明に係る映像記録装置は、前記特定手段は、記録媒体に記録されている放送日時情報が示す放送開始時刻と、前記記憶手段が記憶する放送日時情報が示す放送開始時刻との時間差が所定範囲内にある映像データを特定するようにしてあることを特徴とする。
【００１０】
本発明にあっては、番組名の一部又は全部が重複している映像データの内、放送開始時刻の時間差が所定範囲内にある映像データを、装着された記録媒体に記録する。従って、番組名が略一致していても、記録媒体に記録されている映像データの放送開始時刻と、記憶手段が記憶している映像データの放送開始時刻とが大きく異なる場合、該映像データは記録媒体に記録されない。例えば、記憶手段が初回放送の映像データと、再放送された映像データとを記憶していた場合、記録媒体にはいずれか一方の映像データのみが記録される。
【００１１】
本発明に係る映像記録装置は、前記記憶手段が記憶する番組名情報に含まれる番組名と、記録媒体に記録された番組名情報に含まれる番組名との類似度を算出する算出手段と、該算出手段が算出した類似度及び所定閾値を比較する手段とを備え、前記特定手段は、記録媒体に記録されている映像データの番組名との類似度が所定閾値以上であって、該記録媒体に記録されている映像データの放送日時よりも後に前記記憶手段が記憶した映像データを特定するようにしてあることを特徴とする。
【００１２】
本発明にあっては、記憶手段が記憶する番組名情報に含まれる番組名と、記録媒体に記録された番組名情報に含まれる番組名との類似度を算出し、算出された類似度が所定の閾値以上である場合、番組名が略一致しているものと判定する。
【００１３】
本発明に係る映像記録装置は、異なる複数の番組名の番組名情報が記録媒体に記録されている場合、前記録媒体に記録すべき映像データの番組名を受け付ける番組名受付手段を備え、前記特定手段は、前記番組名受付手段が受け付けた番組名と、番組名の一部又は全部が重複しており、該記録媒体に記録されている映像データの放送日時よりも後に前記記憶手段が記憶した映像データを特定するようにしてあることを特徴とする。
【００１４】
本発明にあっては、異なる複数の番組名の番組名情報が記録媒体に記録されている場合、該記録媒体に記録すべき映像データの番組名を受け付け、受け付けた番組名と、番組名の一部又は全部が重複している映像データを記録媒体に記録する。
【発明の効果】
【００１５】
本発明にあっては、光ディスク等の装着された記録媒体に記録されている番組と同じ未記録の番組の映像データを、ＨＤＤ等の記憶手段から特定し、特定された映像データを自動的に記録媒体に記録することができる。
【図面の簡単な説明】
【００１６】
【図１】本実施の形態に係る映像記録装置の一構成例を示すブロック図である。
【図２】映像データ及び音声データのダビングに係る制御部の処理手順を示したフローチャートである。
【図３】映像データ及び音声データのダビングに係る制御部の処理手順を示したフローチャートである。
【図４】ＨＤＤに記録された映像データ等を概念的に示すテーブルである。
【図５】光ディスクに記録された映像データ等を概念的に示すテーブルである。
【発明を実施するための形態】
【００１７】
以下、本発明をその実施の形態を示す図面に基づいて詳述する。
図１は、本実施の形態に係る映像記録装置の一構成例を示すブロック図である。本実施の形態に係る映像記録装置は、図示しないアンテナで受信された放送信号を受信し、受信した放送信号を復調する放送信号受信部１１を備える。放送信号がＭＰＥＧ（Moving Picture Experts Group）−２ＴＳ（Transport Stream）等デジタル放送信号である場合、放送信号受信部１１は、復調したデジタル放送信号を映像データ、音声データ及び番組情報に復号し、復号した番組情報を番組情報保持部１６に与え、映像データ及び音声データを番組記憶部１２に与える。番組情報は、これから放送される番組の番組名、放送日時及びチャンネル等の情報を含む。
【００１８】
番組情報保持部１６は、放送信号受信部１１から出力された番組情報を取得し、取得した番組情報を図示しないメモリに保持する。
【００１９】
番組予約部１７は、番組情報保持部１６から番組情報を読み出し、放送される全放送局の番組の録画予約を行い、録画すべき番組のチャンネル、録画開始時刻、録画終了時刻、番組名等が対応づけられた録画予約情報を中央処理部１８に与える。
【００２０】
中央処理部１８は、ＣＰＵを有するマイコン等で構成されており、録画制御部１９、再生制御部２０及び再生処理部１３の動作を制御する。中央処理部１８には、ユーザインタフェース部２１が設けられている。ユーザインタフェース部２１は、映像記録装置に設けられた操作ボタン、図示しない遠隔操作信号からの信号を受信する受信部である。遠隔操作装置には、公知の録画ボタン、再生ボタン、十字キー、決定ボタン等に加え、ＨＤＤ１２ａに蓄積された連続ドラマといったシリーズ物の映像データ及び音声データをＨＤＤ１２ａから光ディスク１２ｃへダビングする為のボタン（以下、連続番組ダビングボタンという）が設けられている。中央処理部１８は、該ユーザインタフェース部２１を介して、録画した番組の再生指示、ダビング指示などを受け付ける。
中央処理部１８は、番組予約部１７から録画予約情報を取得し、取得した録画予約情報に基づく、録画命令を録画制御部１９に与えることにより、録画制御部１９の動作を制御する。具体的には、中央処理部１８は、図示しない時計を有しており、該時計の時刻が録画予約情報に含まれる録画開始時刻になった場合、該録画開始時刻から録画を開始すべきチャンネルに合わせて、録画を開始すべき命令等の情報を含む録画命令を録画制御部１９に与える。録画制御部１９は、録画命令に基づいて動作し、指定されたチャンネルの映像データ、音声データ、該映像データの番組名を含む番組名情報、及び該映像データの放送日時を含む放送日時情報を番組記憶部１２のＨＤＤ１２ａに記憶させる。
更に、録画制御部１９は、ＨＤＤ１２ａが記憶する映像データ、音声データ、番組名情報及び放送日時情報を読み出し、読み出した映像データ、音声データ、番組名情報及び放送日時情報を、光ディスクドライブ１２ｂにて光ディスク１２ｃに記録する機能を有する。以下、説明の便宜上、ＨＤＤ１２ａに記録された番組名情報及び放送日時情報に符号Ａ１，Ｂ１を付し、光ディスク１２ｃに記録された番組名情報及び放送日時情報に符号Ａ２，Ｂ２を付して説明する。ＨＤＤ１２ａに記録された映像データ等を読み出して、光ディスク１２ｃに記録する方法としては、映像データ等の移動と、ダビングとがあるが、以下では、主にダビングを説明する。
なお、ここでは、不揮発性の記憶手段としてＨＤＤを説明したが、映像データ等を記憶することができれば、ＳＳＤ等を用いても良い。また、映像記録装置に装着される記録媒体の一例として光ディスクを説明するが、ＵＳＢメモリ等の半導体メモリ、外付けＨＤＤから指定等の磁気記憶媒体、光磁気ディスク等の記憶媒体を用いることもできる。
【００２１】
一方、中央処理部１８は、ユーザインタフェース部２１を介して保存された番組の再生指示を受け付け、受け付けた再生指示の情報を再生制御部２０に与え、該再生制御部２０の動作を制御する。再生制御部２０は、中央処理部１８により与えられた再生指示の情報に従って、ＨＤＤ１２ａ又は光ディスク１２ｃから、指示された番組の映像データ及び音声データを読み出し、読み出した映像データ及び音声データを再生処理部１３に与える。再生処理部１３は、映像データ及び音声データを映像出力部１４及び音声出力部１５を介して外部出力させる。映像出力部１４には、例えば、液晶ディスプレイ、プラズマディスプレイ、有機ＥＬディスプレイなどの表示モニタが接続され、該表示モニタに映像データに係る映像が表示される。音声出力部１５には、スピーカが接続され、該スピーカは音声データに係る音声を出力する。なお、詳細には、映像データ及び音声データは、圧縮及び変調されてＨＤＤ１２ａ又は光ディスク１２ｃに記録されているため、再生処理部１３は、ＨＤＤ１２ａ又は光ディスク１２ｃから番組に係るデータを読み出し、該データを復調し、復調されたデータを映像データ及び音声データに分離し、復号する処理を行っている。
【００２２】
図２及び図３は、映像データ及び音声データのダビングに係る中央処理部１８の処理手順を示したフローチャートである。以下、光ディスク１２ｃに一つの番組の映像データ及び音声データが既に記録されているものとして説明する。該映像データ及び音声データは通常のダビング操作によって記録されたものである。つまり、所望の一の番組をダビングする際、ユーザは、ＨＤＤ１２ａに記録された映像データの番組名一覧を表示モニタに表示し、一の番組名を選択し、ダビングボタンを操作する。中央処理部１８は、かかるダビング操作をユーザインタフェース部２１を介して受け付け、選択された前記一の番組名の映像データをＨＤＤ１２ａから読み出し、光ディスク１２ｃに記録する。
【００２３】
中央処理部１８は、光ディスクドライブ１２ｂに光ディスク１２ｃが挿入されているか否かを検出する（ステップＳ５１）。光ディスク１２ｃの挿入が検出されなかった場合（ステップＳ５１：ＮＯ）、中央処理部１８は、処理をステップＳ５１に戻し、光ディスク１２ｃの検出を継続する。
【００２４】
光ディスク１２ｃが挿入されたことを検出した場合（ステップＳ５１：ＹＥＳ）、中央処理部１８は、ユーザインタフェース部２１に入力される操作を監視し、連続番組ダビングボタンが押下されたか否かを判定する（ステップＳ５２）。連続番組ダビングボタンが押下されていないと判定した場合（ステップＳ５２：ＮＯ）、中央処理部１８は、処理をステップＳ５１に戻す。
【００２５】
連続番組ダビングボタンが押下されたと判定した場合（ステップＳ５２：ＹＥＳ）、中央処理部１８は、再生制御部２０の動作を制御して、光ディスクドライブ１２ｂに挿入された光ディスク１２ｃにすでに記録されている番組名情報Ａ２（以下、適宜情報Ａ２という）及び放送日時情報Ｂ２（以下、適宜情報Ｂ２という）を読み出す（ステップＳ５３）。
【００２６】
光ディスク１２ｃに複数の映像データが記録されている場合、中央処理部１８は、各映像データの番組名情報Ａ２及び放送日時情報Ｂ２を読み出し、各番組名情報Ａ２が示す番組名が略一致するか否かを判定する。つまり、各映像データの番組名が略一致するか否かを判定する。番組名が略一致するか否かの判定方法は、後述のステップＳ５５及びステップＳ５６と同様の処理である。各映像データの番組名が略一致すると判定した場合、複数の映像データの内、最新の映像データの番組名情報Ａ２及び放送日時情報Ｂ２を特定する。番組名が一致しない番組名が複数あると判定した場合、中央処理部１８は、ユーザインタフェース部２１を介して、連続番組としてダビングすべき一の番組名を受け付ける。そして、受け付けた番組名に略一致する映像データの内、最新の映像データの番組名情報Ａ２及び放送日時情報Ｂ２を特定する。以下のステップＳ５５〜ステップＳ５８の処理で比較対象となる番組名情報Ａ２及び放送日時情報Ｂ２は、上述の処理で特定された番組名情報Ａ２及び放送日時情報Ｂ２である。
【００２７】
次いで、中央処理部１８は、再生制御部２０の動作を制御して、ＨＤＤ１２ａに記録された番組名情報Ａ１（以下、適宜情報Ａ１という）及び放送日時情報Ｂ１（以下、適宜情報Ｂ１という）を読み出す（ステップＳ５４）。
【００２８】
以下のステップＳ５５からステップＳ５９の処理は、ＨＤＤ１２ａが記憶している番組の内、光ディスク１２ｃに記録されている映像データの番組名情報Ａ２及び放送日時情報Ｂ２と同様の情報を有する未記録映像データをダビング対象の映像データとして特定する処理である。
【００２９】
ステップＳ５２の処理を終えた中央処理部１８は、番組名情報Ａ１及び番組名情報Ａ２に含まれる番組名の類似度を算出する（ステップＳ５５）。例えば、各番組名を構成する文字が一致している割合、つまり、一致している文字の数と、不一致の文字の数との比を算出する。次いで、中央処理部１８は、ステップＳ５５で算出した類似度に基づいて、番組名情報Ａ１及び番組名情報Ａ２に含まれる番組名が略一致しているか否かを判定する（ステップＳ５６）。具体的には、中央処理部１８は、ステップＳ５５で算出した類似度が所定の閾値以上であるか否かを判定する。前記所定の閾値は、例えば、各番組名を構成する文字の半数以上が一致していることを示す１／２である。この所定の閾値の値は、一例であり、周期的に放送される一連の映像データを特定することができれば、特にこれに限定されない。
【００３０】
番組名が略一致していると判定した場合（ステップＳ５６：ＹＥＳ）、中央処理部１８は、放送日時情報Ｂ１及び放送日時情報Ｂ２に含まれる放送開始時刻が略一致しているか否かを判定する（ステップＳ５７）。番組の放送時開始刻は放送事情により前後することがあるため、各情報Ｂ１及びＢ２に含まれる放送開始時刻の時間差が所定時間以内、例えば±１時間以内であれば、放送開始時刻が略一致していると判定する。該所定時間は、番組の放送開始時刻が変更されることがある時間幅である。
【００３１】
放送開始時刻が略一致していると判定した場合（ステップＳ５７：ＹＥＳ）、中央処理部１８は、放送日時情報Ｂ１に含まれる放送日が、放送日時情報Ｂ２に含まれる放送日以降であるか否かを判定する（ステップＳ５８）。つまり、ＨＤＤ１２ａに記録されている映像データの方が、光ディスク１２ｃに記録されている映像データよりも後に放送され、記録されたものであるか否かを判定する。
【００３２】
放送日時情報Ｂ１に含まれる放送日が、放送日時情報Ｂ２に含まれる放送日以降であると判定した場合（ステップＳ５８：ＹＥＳ）、中央処理部１８は、ステップＳ５５〜ステップＳ５８で判定された番組の映像データを、光ディスク１２ｃに記録すべき映像データとして特定する（ステップＳ５９）。
【００３３】
ステップＳ５９の処理を終えた場合、ステップＳ５６で番組名が一致しないと判定した場合（ステップＳ５６：ＮＯ）、ステップＳ５７で放送開始時刻が一致しないと判定した場合（ステップＳ５７：ＮＯ）、又は放送日時情報Ｂ１に含まれる放送日時が、放送日時情報Ｂ２に含まれる放送日以降でないと判定した場合（ステップＳ５８：ＮＯ）、中央処理部１８は、ＨＤＤ１２ａに記録された全番組を検索したか否か、つまり、ＨＤＤ１２ａに記録された全番組の番組名情報及び放送日時情報に対してステップＳ５６〜ステップＳ５９の処理を実行したか否かを判定する（ステップＳ６０）。
【００３４】
全番組を検索していないと判定した場合（ステップＳ６０：ＮＯ）、中央処理部１８は、処理をステップＳ５５に戻し、ステップＳ５６〜ステップＳ５９の判定処理が行われていない番組名情報及び放送日時情報に対して、ステップＳ５６〜ステップＳ５９の判定処理を実行する。
【００３５】
全番組を検索したと判定した場合（ステップＳ６０：ＹＥＳ）、中央処理部１８は、光ディスク１２ｃに記録する番組、即ちステップＳ５９で特定された映像データを放送日時の時系列順に並び替える（ステップＳ６１）。
【００３６】
そして、中央処理部１８は、ステップＳ５９で特定された映像データ及び音声データと、該映像データの番組名情報及び放送日時情報とをＨＤＤ１２ａから読み出し、光ディスクドライブ１２ｂで光ディスク１２ｃに記録する処理を開始する（ステップＳ６２）。ＨＤＤ１２ａから光ディスク１２ｃへの映像データ等の記録は、ダビングであっても良いし、映像データの移動であっても良い。
【００３７】
次いで、中央処理部１８は、光ディスク１２ｃに映像データを記録している途中において該光ディスク１２ｃの空容量が不足していないか否かを判定する（ステップＳ６３）。
【００３８】
ステップＳ６３で空容量が不足していると判定した場合（ステップＳ６３：ＹＥＳ）、中央処理部１８は、映像データの記録を停止し、光ディスク１２ｃの交換を報知する（ステップＳ６５）。例えば、中央処理部１８は、再生処理部１３の動作を制御し、「ディスク入換えして下さい」の文字画像を表示させる映像信号を映像出力部１４から外部の表示モニタに出力させることによって、該文字画像を表示モニタに表示させる。
【００３９】
ステップＳ６５の処理を終えた中央処理部１８は、光ディスク１２ｃの挿入状態を監視し、光ディスク１２ｃの入れ換えが完了した否かを判定する（ステップＳ６６）。光ディスク１２ｃの入れ換えが完了していないと判定した場合（ステップＳ６６：ＮＯ）、中央処理部１８は、処理をステップＳ６６に戻し、光ディスク１２ｃの挿入が完了するまで待機する。光ディスク１２ｃの入れ替えが完了したと判定した場合（ステップＳ６６：ＹＥＳ）、中央処理部１８は、映像データ及び音声データの記録を再開する（ステップＳ６７）。
【００４０】
ステップＳ６７の処理を終えた場合、又は空容量が不足していないと判定した場合（ステップＳ６３：ＮＯ）、中央処理部１８は、映像データの記録を完了したか否かを判定する（ステップＳ６４）。記録が完了していないと判定した場合（ステップＳ６４：ＮＯ）、中央処理部１８は処理をステップＳ６３に戻す。記録が完了したと判定した場合（ステップＳ６４：ＹＥＳ）、中央処理部１８は、処理をステップＳ５１に戻す。
【００４１】
以上の処理によって、ＨＤＤ１２ａから光ディスク１２ｃに番組がどのようにダビングされるかを説明する。
図４は、ＨＤＤ１２ａに記録された映像データ等を概念的に示すテーブルである。ダビング開始前、ＨＤＤ１２ａは、図４に示すように、番組名が「ＡＡＡＡＡ（第１回）」、「ＡＡＡＡＡ（第１回／再放送）」、「ＡＡＡＡＡ（第２回）」、「ＡＡＡＡＡ（第２回／再放送）」、「ＡＡＡＡＡ（第３回）」、「ＡＡＡＡＡ（第３回／再放送）」の映像データを記憶している。番組名「ＡＡＡＡＡ（第…回）」の映像データは、１週間に１回、周期的に放送される一連の映像データであり、各回の映像データがＨＤＤ１２ａに記録されている。また、番組名「ＡＡＡＡＡ（第１回）」の映像データは、１日に２回、朝昼に放送されており、ＨＤＤ１２ａには各映像データが記録されているものとする。また、ＨＤＤ１２ａは番組名「ＢＢＢＢＢ」及び番組名「ＣＣＣＣＣ」の映像データを記憶している。
【００４２】
図５は、光ディスク１２ｃに記録された映像データ等を概念的に示すテーブルである。図５Ａは、本発明に係るダビング開始前の光ディスク１２ｃに記録された映像データを示している。図５Ａに示すように、光ディスク１２ｃには、ダビング開始前の状態において、番組名が「ＡＡＡＡＡ（第１回）」の映像データ、並びに該映像データの番組名及び放送日時を示した番組名情報及び放送日時情報が記録されている。
図４に示した映像データがＨＤＤ１２ａに記録され、図５Ａに示した映像データが記録された光ディスク１２ｃを光ディスクドライブ１２ｂに挿入して連続番組ダビングボタンを操作した場合、図５Ｂに示すように、番組名「ＡＡＡＡＡ（第２回）」及び番組名「ＡＡＡＡＡ（第３回）」の映像データがＨＤＤ１２ａから読み出され、光ディスク１２ｃに記録される。ＨＤＤ１２ａには、番組名「ＡＡＡＡＡ（第１回／再放送）」等の再放送された映像データが記録されているが、該映像データの放送開始時刻は１２：００−１３：００であり、光ディスク１２ｃに既に記録されている映像データの放送開始時刻８：００−９：００と一致しないため、ダビングが行われない。また、ＨＤＤ１２ａには、番組名「ＢＢＢＢＢ」及び番組名「ＣＣＣＣＣ」の映像データが記録されているが、光ディスク１２ｃに記録されている映像データの番組名「ＡＡＡＡＡ（第１回）」と一致しないため、番組名「ＢＢＢＢＢ」及び番組名「ＣＣＣＣＣ」の映像データのダビングも行われない。
もちろん、番組名「ＡＡＡＡＡ（第１回）」の映像データは、光ディスク１２ｃに既に記録されている映像データと放送日が同じであるため、該映像データが、重複して光ディスク１２ｃに記録されることはない。
【００４３】
以上のようにしてユーザが光ディスク１２ｃに１回分の連続ドラマの映像データをダビングしておけば、次回からは、光ディスクドライブ１２ｂに前記ダビング済の光ディスク１２ｃを挿入して連続番組ダビングボタンを操作するだけで、簡単に光ディスク１２ｃにすでにダビングされている連続ドラマに後続する他の映像データがＨＤＤ１２ａから特定され、自動的にダビング又は移動される。また、他の光ディスクに他の連続ドラマの映像データを１回だけダビングしておけば、次回からは、該光ディスク１２ｃを挿入し、連続番組ダビングボタンを操作するだけで、前記他の連続ドラマが自動的にＨＤＤ１２ａから読み出され、前記他の光ディスクに記録される。このため、ユーザは、異なる複数の連続ドラマを個別の光ディスク１２ｃで管理することができるため、使い勝手が良くなる。
更に、自動でダビングする番組は、１回ユーザが光ディスク１２ｃにダビングした番組であるので、ユーザがダビング保存したい連続ドラマの映像データであることは明らかであり、結果としてより簡単にユーザの嗜好にあった番組の映像データがダビングされることになる。
【００４４】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００４５】
１１  放送信号受信部
１２  番組記憶部
１２ａ  ＨＤＤ
１２ｂ  光ディスクドライブ
１２ｃ  光ディスク
１３  再生処理部
１４  映像出力部
１５  音声出力部
１６  番組情報保持部
１７  番組予約部
１８  中央処理部
１９  録画制御部
２０  再生制御部
２１  ユーザインタフェース部
【図１】
2013242933.tif 000003
【図２】
2013242933.tif 000004
【図３】
2013242933.tif 000005
【図４】
2013242933.tif 000006
【図５】
2013242933.tif 000007